(57)【特許請求の範囲】
【請求項１】
第一ウエスト部、第一ウエスト部の反対側にある第二ウエスト部、第一ウエスト部と第二ウエスト部との間に配置された股部、及び第一ターゲットゾーンを有する吸収体において、この吸収体は、
支持部材であって、トップシート、バックシート、又は吸収性コアのうちの一つを含む、支持部材；
吸収性コア；
前記支持部材に並置された平行移動操作部材であって、排泄物を受け取って入れるためのポケット、排泄物を受け取るための空隙を生じるスペーサー、カバー、ローションコートされた補助トップシート、補助吸収性コア、及び排泄物管理要素から成る群から選択される平行移動操作部材；及び
濡れた時に膨張し又は収縮することができる感湿要素を含む平行移動装置であって、前記平行移動操作部材に接合されている第一端と、前記支持部材に接合されている第二端とを有し、前記平行移動装置の一部分が、前記第一ターゲットゾーンと相互作用を行なうようにされており、濡れた時に膨張し又は収縮して前記平行移動操作部材を前記支持部材に対して移動させる、平行移動装置、
を備えた吸収体。
【請求項２】
前記感湿要素が、約０．１５乃至約０．４の置換度を有するカルボキシメチル化セルロースから成るフィラメントを備えている、請求項１に記載の吸収体。
【請求項３】
前記フィラメントは、濡れた時、そのもとの長さの約５０％乃至約７５％縮む、請求項２に記載の吸収体。
【請求項４】
前記フィラメントは、濡れた時、そのもとの長さの約９０％縮む、請求項２に記載の吸収体。
【請求項５】
前記感湿要素は膨張性要素を備えている、請求項１に記載の吸収体。
【請求項６】
前記平行移動装置はさらに、操作部材を前記膨張性要素に接合させる連結要素を備えている、請求項５に記載の吸収体。
【請求項７】
前記連結要素が、次のもの：すなわち、ストリング、スクリム、フィルム、テープ、及び不織布のうちの１つ又はそれ以上を含んでいる、請求項６に記載の吸収体。
【請求項８】
前記平行移動装置が、次の活性化物：すなわち、湿分、熱、ｐＨの変化、及び電場のうちの１つ又はそれ以上によって活性化される、請求項１に記載の吸収体。
【請求項９】
前記操作部材が、排泄物を受取って入れるためのポケットを備え、前記ポケットが前記平行移動装置によって動かされるにつれて、排泄物がこのポケットの中にかき集められる、請求項１に記載の吸収体。
【請求項１０】
前記操作部材が、排泄物を受取るための空隙を生じるスペーサーを備えており、従ってこのスペーサーが平行移動装置によって動かされるにつれて、その中に入れられた排泄物が、装着者の皮膚から隠され、その後の排泄物のための追加の空間が与えられる、請求項１に記載の吸収体。
【請求項１１】
前記操作部材はカバーを備えており、前記カバーが平行移動装置によって動かされるにつれて、このカバーが装着者の皮膚から排泄物を隠す、請求項１に記載の吸収体。
【請求項１２】
前記カバーがトップシートの一部分を備えている、請求項１１に記載の吸収体。
【請求項１３】
前記操作部材が、ローションコートされた補助トップシートを備えており、前記ローションコートされたトップシートが前記平行移動装置によって動かされるにつれて、ローションが装着者の皮膚に移される、請求項１に記載の吸収体。
【請求項１４】
前記操作部材が補助吸収性コアを備えており、これは前記平行移動装置によって１つの位置に動かされ、体の排泄物のための追加の吸収力を提供する、請求項１に記載の吸収体。
【請求項１５】
操作部材が、有効面積を有する排泄物管理要素を備えており、この有効面積は、排泄物管理要素が平行移動装置によって動かされるにつれて向上する、請求項１に記載の吸収体。
【請求項１６】
第一部位、第一部位の反対側にある第二部位、第一部位と第二部位との間に配置された股部、及び第一ターゲットゾーンを有する生理用ナプキンにおいて、この生理用ナプキンは、
トップシートと接合されたバックシート；
トップシートの少なくとも一部分とバックシートとの間に配置された吸収性コア；
トップシートに並置された平行移動操作部材であって、カバー、ローションコートされた補助トップシート、及び補助吸収性コアから成る群から選択される平行移動操作部材；及び
濡れた時に膨張し又は収縮することができる感湿要素を含む平行移動装置であって、前記平行移動操作部材に接合されている第一端と、トップシートに接合されている第二端とを有し、前記平行移動装置によって前記平行移動操作部材が前記トップシートに対して移動させられるように前記平行移動装置の一部分が第一ターゲットゾーンと相互作用を行なうようにされている平行移動装置、
を備えた生理用ナプキン。
【請求項１７】
前記操作部材はカバーを備えており、このカバーは平行移動装置によって動かされるにつれて、装着者の皮膚から排泄物を隠す、請求項１６に記載の吸収体。
【請求項１８】
前記カバーがトップシートの一部分を備えている、請求項１６に記載の吸収体。
【請求項１９】
前記操作部材が、ローションコートされた補助トップシートを備えており、前記ローションコートされたトップシートが平行移動装置によって動かされるにつれて、ローションが装着者の皮膚に移される、請求項１６に記載の吸収体。
【請求項２０】
前記操作部材が補助吸収性コアを備えており、これは前記平行移動装置によって１つの位置に動かされ、排泄物のための追加の吸収力を生じる、請求項１６に記載の吸収体。
【請求項２１】
第一ウエスト部、第一ウエスト部の反対側にある第二ウエスト部、第一ウエスト部と第二ウエスト部との間に配置された股部、及び少なくとも１つの第一ターゲットゾーンを有する吸収体において、この吸収体は、
トップシートと接合されたバックシート；
トップシートの少なくとも一部分とバックシートとの間に配置された吸収性コア；
トップシートに並置された複数の平行移動操作部材であって、排泄物を受け取って入れるためのポケット、排泄物を受け取るための空隙を生じるスペーサー、カバー、ローションコートされた補助トップシート、補助吸収性コア、及び排泄物管理要素から成る群から選択される平行移動操作部材；及び
濡れた時に膨張し又は収縮することができる感湿要素を含む平行移動装置であって、前記平行移動操作部材に接合されている第一端と、支持部材に接合されている第二端とを有する複数の平行移動装置であって、前記平行移動装置によって前記平行移動操作部材が前記トップシートに対して移動させられるように前記平行移動装置のいくつかの部分が少なくとも１つの第一ターゲットゾーンと相互作用を行なうようにされている平行移動装置、
を備えた吸収体。
【請求項２２】
前記感湿要素が、約０．１５乃至約０．４の置換度を有するカルボキシメチル化セルロースから成るフィラメントを備えている、請求項２１に記載の吸収体。
【請求項２３】
前記フィラメントは、濡れた時、そのもとの長さの約５０％乃至約７５％縮む、請求項２２に記載の吸収体。
【請求項２４】
前記フィラメントは、濡れた時、そのもとの長さの約９０％縮む、請求項２２に記載の吸収体。
【請求項２５】
前記感湿要素は膨張性要素を備えている、請求項２１に記載の吸収体。
【請求項２６】
前記平行移動装置はさらに、操作部材を前記膨張性要素に接合させる連結要素を備えている、請求項２５に記載の吸収体。
【請求項２７】
前記連結要素が、次のもの：すなわち、ストリング、スクリム、フィルム、テープ、又は不織布のうちの１つ又はそれ以上を含んでいる、請求項２６に記載の吸収体。
【請求項２８】
前記複数の平行移動装置が、次の活性化物：すなわち、湿分、熱、ｐＨの変化、又は電場のうちの１つ又はそれ以上によって活性化される、請求項２１に記載の吸収体。
【請求項２９】
前記複数の操作部材が、排泄物を受取って入れるためのポケットを含んでおり、前記ポケットが前記平行移動装置によって動かされるにつれて、排泄物がポケットの中にかき集められる、請求項２１に記載の吸収体。
【請求項３０】
前記複数の操作部材が、排泄物を受取るための空隙を生じるスペーサーを備えており、前記スペーサーが前記平行移動装置によって動かされるにつれて、その中に入れられた排泄物が、装着者の皮膚から隠され、その後の排泄物のために追加の空間が与えられる、請求項２１に記載の吸収体。
【請求項３１】
前記複数の操作部材はカバーを備えており、前記カバーは前記平行移動装置によって動かされるにつれて、前記カバーが装着者の皮膚から排泄物を隠す、請求項２１に記載の吸収体。
【請求項３２】
前記カバーがトップシートの一部分を備えている、請求項３１に記載の吸収体。
【請求項３３】
前記複数の操作部材が、ローションコートされた補助のトップシートを含んでおり、ローションコートされた前記トップシートが前記平行移動装置によって動かされるにつれて、ローションが装着者の皮膚に移される、請求項２１に記載の吸収体。
【請求項３４】
前記複数の操作部材が補助吸収性コアを含んでおり、これは前記平行移動装置によって１つの位置に動かすことができ、体の排泄物のための追加の吸収力を提供する、請求項２１に記載の吸収体。
【請求項３５】
前記複数の操作部材が、有効面積を有する排泄物管理要素を含んでおり、この有効面積は、排泄物管理要素が平行移動装置によって動かされるにつれて向上する、請求項２１に記載の吸収体。
【発明の詳細な説明】
【０００１】
（発明の分野）
この発明は、装着者によって装着されるのに適した使い捨て吸収体に関する。より詳しくは、これは、装着者の体から排出された排泄物との相互作用によって活性化される平行移動装置に接着された平行移動操作部材を有する使い捨て吸収体に関する。
【０００２】
（背景）
使い捨て吸収体、例えばおむつ及び大人の失禁用ショーツの主な機能は、体の排泄物が、装着者と接触する衣類又はその他の物、例えば寝具を汚すのを防ぐことである。最近、使い捨ておむつ、例えば１９７５年１月１４日にＫｅｎｎｅｔｈ  Ｂａｒｃｌａｙ  Ｂｕｅｌｌに発行された米国特許第３，８６０，００３号（参照してここに組込まれる）に開示されているようなものは、一般の人々に非常に人気のあるものになっており、一般的にその便利さと信頼性によって耐久性の布製吸収体にとって代わっている。しかしながらこのような使い捨て吸収体の有効性にも関わらず、体の排泄物はいまだに漏れることが多く、あるいはおむつの中に貯蔵され、従って排泄物は装着者の皮膚を汚し、及び／又は皮膚に刺激を与える。従ってさらに一層効果的な装置が求められ続けている。
【０００３】
例えば乳幼児の介護者及びこれらの使用者、及び大人用おむつを装着している人々の介護者が感じている１つの問題は、多数回の尿の排出（例えば「排尿（ｉｎｓｕｌｔｓ  ｏｆ  ｕｒｉｎｅ）」）を受ける使い捨ておむつの性能に関連したものである。尿の最初の排出は、おむつのサイド部又は端の周りで尿の漏れ又は流れ落ちを伴わずにおむつによって素早く吸収される。ついでその後の尿の排出は、当初の排出よりも遅く吸収される。その理由は、吸収性要素が尿によって少なくとも一部既に飽和しているからである。この場合、二回目の排出物の一部分は、排出物の少なくとも一部分がおむつのサイド部又は端の周りで漏れるのを防ぐほど十分に素早くは吸収されないということが起こることがある。
【０００４】
漏れ及び／又は不適切な封じ込めの望ましくない作用は、おむつに付着した大便物質に関して特に明らかである。おむつに封じ込められた大便は、経時的に装着者の皮膚を傷め、おむつから漏れる大便は、ほとんどいつも不快で汚い、拭き取りが必要なものとなる（ｐｒｅｓｅｎｔｓ・・・ｃｌｅａｎ−ｕｐｓ）。トップシートにおけるこの物質の動きを制限するため、及び／又は大便物質をおむつの中によりよく閉じ込めるために、おむつに例えばバリヤー、ポケット、スペーサー、横断方向バリヤー、開口トップシート等の部材を付け加えるいくつかの試みがなされている。しかしながらこのような試みの成功は、主として封じ込め能力、並びに大便の不快な作用を減少させる能力によって限定されている。
【０００５】
従って、装着者又は介護者に対する大便又はその他の粘性液体の体の排泄物の不快な作用を最小限にするような、高められた吸収能力及び／又は封じ込め能力を有する使い捨て吸収体を提供することが望ましいであろう。本発明は、体の排泄物の最初の付着との相互作用によって活性化された平行移動（ｔｒａｎｓｌａｔｉｏｎａｌ）装置によって、この製品の１つのセクションからもう１つのセクションへ動かすことができる平行移動操作部材を有する使い捨て吸収体を提供する。
【０００６】
（発明の概要）
本発明は、体の排泄物の最初の排出物に隣接した第一ターゲットゾーン、トップシート、バックシート、又は吸収性コアを備えた支持部材、及び平行移動操作部材を有する吸収体である。平行移動操作部材は、吸収体の１つの部位からもう１つの部位へ、あるいは１つの部位の中で、平行移動装置を介して移動することができる。１つの端が支持部材に、もう１つの端が平行移動操作部材に直接的又は間接的に付着された平行移動装置は、濡れた時に伸縮しうる感湿要素を備えている。平行移動装置は、第一ターゲットゾーンと相互作用を行なう。
【０００７】
平行移動操作部材は、補助吸収性コア、ローションでコートされた補助トップシート、排泄物を隠すためのカバー、排泄物を受取るための空隙を生じるスペーサー、及び排泄物を受取って入れるためのポケットを備えている。使い捨て吸収体は、操作部材のどれか１つ又はその組合わせを含んでいてもよい。
【０００８】
（発明の詳細な説明）
この明細書は、本発明とみなされるものを特に指摘し、明確に請求する特許請求の範囲で結論付けられてはいるが、本発明は本発明の次の詳細な説明を読むことによって、また含まれている図面を調べることによって、よりよく理解できると考えられる。
【０００９】
ここで用いられている用語「吸収体」は、体の排泄物を吸収して封じ込める装置のことを言う。より特定すれば、体内から排出された様々な排泄物を吸収して封じ込めるために、装着者の体に、又は体の近くに配置される装置のことを言う。長手方向は、この製品の最大の直線寸法に平行に通っている方向である。長手方向は、この長手方向の±４５°内にある方向を含んでいる。用語「使い捨て」はここでは、一般に洗濯されたり、あるいはまた吸収体として復元又は再使用されるためのものではない吸収体を記載するために用いられている（すなわち、これらはただ１回の使用後に捨てられるためのものであり、好ましくはリサイクルされるか、堆肥にされるか、あるいはまた環境に優しい方法で処分されるためのものである）。（ここで用いられている用語「配置された」は、おむつの要素が、このおむつの他の要素とユニット型構造として、又はこのおむつのもう１つの要素に接合された別の要素として特定の場所又は位置に形成されている（接合され、位置している）ことを意味するために用いられている。ここで用いられている用語「接合されている」は、要素をもう一方の要素に直接付着させることによって１つの要素が別の要素に直接固定されている形状、及びこれ自体がもう一方の要素に付着されている中間部材に要素を付着させることによって、要素が間接的に別の要素に固定されている形状を包含する。）「ユニット式（ｕｎｉｔａｒｙ）」吸収体とは、統合されて調和された物体を形成する別々の部分から形成されており、従って別々のホルダーとライナーのような別々に操作される部品を必要としない吸収体のことを言う。ここで用いられている用語「おむつ」は、一般に乳幼児及び失禁者が胴体下部の周りに装着する吸収体のことを言う。ここで用いられている「第一ターゲットゾーン」とは、体の排泄物が使い捨て吸収体との接触を開始する地点である。さらには１つの要素が、少なくとも大部分、第一ターゲットゾーンに隣接した位置に配置されている時、これは第一ターゲットゾーンと位置合わせされていると言われる。１つの要素が、少なくとも大部分、第一ターゲットゾーンに隣接していない位置に配置されている時、これは第一ターゲットゾーンから離れていると言われる。
【００１０】
本発明は、その他の吸収体、例えば失禁用ショーツ、失禁用下着、吸収性インサート、おむつホルダー及びライナー、女性用衛生衣服、拭き取り紙、モップ、包帯等に等しく適用しうるが、本発明の吸収体の好ましい実施形態は、ユニット型使い捨て吸収体、例えば図１に示されているおむつ２０である。
【００１１】
この発明の実施形態は、改良された使い捨ておむつである。その最も単純な実施形態において、この発明の使い捨ておむつ（以後単に「おむつ」と呼ばれる）は、使用中、使用者の体の近くに配置される液体透過性トップシート；使用中、使用者の体から離れたところに配置され、かつ使用者がたまたま装着している外側衣服に隣接している不透過性バックシート；主吸収性コアを含んでいる支持部材と、ここでは操作部材と呼ばれている平行移動（すなわち可動）多機能操作部材とを備えている。この操作部材は、排泄物を入れるためのポケット、排泄物の動きを制限するためのバリヤーを生じるカバー、排泄物のための空隙を生じるスペーサー、補助吸収性コア、排泄物管理要素等、あるいはこれらの組合わせを含んでいてもよい。
【００１２】
トップシート及びバックシート支持部材は通常、おむつの周辺部の周りで互いに固定されている。主吸収性コア支持部材は、トップシートとバックシートとの間に挿入されており、通常はバックシートに付着されている。操作部材は一般的には、支持部材に対して第一ターゲットゾーンから離れた位置にある。しかしながら操作部材は、その形状配置によっては第一ターゲットゾーンに隣接した位置にあってもよい。操作部材は一般に、次に記載されている場合以外は、支持部材に付着されていない。
【００１３】
おむつはさらに、支持部材に対して操作部材を平行移動させる（すなわち動かす）ための平行移動装置を備えている。この平行移動装置は、濡れた時に伸縮しうる感湿要素を備えている。感湿要素は、直接的又は間接的にこの平行移動装置に付着されていてもよい。
【００１４】
いくつかの実施形態において、感湿要素は、第一地点において操作部材に接着された少なくとも１つの感湿フィラメントを備えている。第一地点から離れている感湿フィラメントの第二地点は、フィラメント（すなわち平行移動装置）が第一ターゲットゾーンと相互作用するように、支持部材のうちの１つ、例えば主吸収性コア、トップシート、又はバックシートに接着されている。「第一ターゲットゾーンと相互作用する」とは、平行移動装置が第一ターゲットゾーンと位置合わせされており、これによって、これが第一ターゲットゾーンと接触する時に最初の体の排泄物流によって直接濡らされるか、あるいはまたこれは第一ターゲットゾーンから離れており、例えば第一ターゲットゾーンから平行移動装置への液体輸送によって間接的に濡らされることを意味する。フィラメントが濡れた時、これは縮み、一般に操作部材を第一ターゲットゾーンと位置合わせされるように引っ張り、従って操作部材を動かすことによって得られる効果を認識することができる。効果とは、例えば追加の排泄物封じ込めを与えること、排泄物を隠すこと、及び／又は排泄物のその後の排出を受取るために、比較的きれいな（ｆｒｅｓｈ）部位を定位置に生じることである。一般に平行移動装置は、この製品の残りの部分及び／又は装着者に対する操作部材の動き又は位置の変化を与えるように機能する。
【００１５】
図１２（ａ）及び１２（ｂ）に示されているこれに代わる実施形態において、平行移動装置は、膨張性要素７７を備えていてもよく、これは直接的又は間接的に、この製品の少なくとも一部分又は装着者に対して操作部材７０を平行移動させる。例えば膨張性部材７７は、水と接触した時に膨張する膨張性フォーム又は多孔質吸収性ポリマーマクロ構造を備えていてもよい。適切な膨張性フォームは、次の特許に記載されているような、濡れるまで薄い（Ｔｈｉｎ−Ｕｎｔｉｌ−Ｗｅｔ）高内相エマルジョンフォームである。この特許とは、１９９５年２月７日にＤｙｅｒらに発行された、発明の名称が「体内からの水性液体用の濡れるまで薄い吸収性フォーム材料及びこれの製造方法（Ｔｈｉｎ−Ｕｎｔｉｌ−Ｗｅｔ  Ａｂｓｏｒｂｅｎｔ  Ｆｏａｍ  Ｍａｔｅｒｉａｌｓ  Ｆｏｒ  Ａｑｕｅｏｕｓ  Ｂｏｄｙ  Ｆｌｕｉｄｓ  Ａｎｄ  Ｐｒｏｃｅｓｓ  Ｆｏｒ  Ｍａｋｉｎｇ  Ｓａｍｅ）」という米国特許第５，３８７，２０７号であり、これは参照してここに組込まれる。適切な膨張性多孔質吸収性ポリマーマクロ構造は、次の特許により詳細に記載されている。すなわち、１９９２年４月７日にＲｏｅらに発行された米国特許第５，１０２，５９７号；１９９２年６月２３日にＲｏｅらに発行された米国特許第５，１２４，１８８号；及び１９９５年６月２７日にＲｏｅに発行された米国特許第５，４２８，０７６号である。これらのすべては参照してここに組込まれる。膨張性要素７７は、操作部材７０に直接連結されていてもよく、あるいは連結要素７９、例えばストリング（収縮性又は非収縮性）、スクリム、フィルム、テープ、又はその他のあらゆる適切な手段によって間接的に連結されていてもよい。図１２（ａ）及び１２（ｂ）に示されているいくつかの実施形態において、連結要素７９は、非膨張状態においてループ又は「輪縄」型配列で膨張性要素７７の周りに巻き付けられており、従って膨張性要素が膨張する時、連結要素７９は、膨張性要素７７の境界周辺部における増加と等しい距離だけ操作部材７０を平行移動させる。
【００１６】
平行移動装置の正確な種類又は構造とは無関係に、これは、この技術において知られているあらゆる活性化物（ｅｎｅｒｇｉｚｅｒ）によって活性化されてもよい（すなわち、縮み、膨張し、回転し、形態を変えさせられるか、あるいは操作部材の平行移動を結果として生じるその他のあらゆる作用）。これらの活性化物には、湿分（すなわち水）、温度（例えばこの技術で知られているいくつかのＮＩＰＡＭゲルは、温度変化と共に伸縮する）、ｐＨの変化、及び電場（例えばこの技術で知られているように電気的感受性ゲルの場合のように）が含まれる。
【００１７】
図１は、平らに広げられた状態にある本発明のおむつの平面図であり、この構造のいくつかの部分が、おむつ２０の支持部材をより明らかに示すために切り取られている。装着者の方に向けられているおむつ２０の部分が見る人の方を向いている。図１に示されているように、おむつ２０は好ましくは、液体透過性トップシート２４；液体不透過性バックシート２６；好ましくはトップシート２４の少なくとも一部分とバックシート２６との間に配置されている吸収性コア２８；サイドパネル３０；弾性化レッグカフス３２；弾性ウエスト部材（ｆｅａｔｕｒｅ）３４；及び一般に４０として示されている留め具装置を備えている。おむつ２０は、図１において第一ウエスト部３６、第一ウエスト部３６の反対側にある第二ウエスト部３８、及び第一ウエスト部と第二ウエスト部との間に位置する股部３７を有するのが示されている。おむつ２０の周辺部は、おむつ２０の外側縁によって画定されており、ここにおいて長手方向縁５０は、一般におむつ２０の長手方向中心線１００に平行に通っており、端縁５２はおむつ２０の側面方向中心線１１０に一般に平行に長手方向縁５０間に通っている。
【００１８】
おむつ２０のシャシー２２は、おむつ２０の本体を備えている。シャシー２２は、吸収性コア２８の少なくとも一部分を備えており、好ましくはトップシート２４とバックシート２６とを含む外側カバー層を備えている。吸収体が別々のホルダーとライナーとを備えているならば、シャシー２２は一般にホルダーとライナーとを備えている。（例えばホルダーは、この製品の外側カバーを形成するために１つ又はそれ以上の材料層を備えていてもよく、ライナーはトップシート、バックシート、及び吸収性コア２８を含む吸収性集成体を備えていてもよい。このような場合、ホルダー及び／又はライナーは、使用時間の間ずっとライナーを定位置に保持するために用いられる留め具要素を含んでいてもよい。）ユニット型吸収体の場合、シャシー２２は、おむつ２０の主構造を備えており、他の部材が加えられて複合おむつ構造が形成される。トップシート２４、バックシート２６、及び吸収性コア２８は、多様なよく知られた形状に組立てられていてもよいが、典型的なおむつ形状は一般に次の特許に記載されている。すなわち、１９７５年１月１４日にＫｅｎｎｅｔｈ  Ｂ．Ｂｕｅｌｌに発行された、発明の名称が「使い捨ておむつ用の収縮しうるサイド部分（Ｃｏｎｔｒａｃｔｉｂｌｅ  Ｓｉｄｅ  Ｐｏｒｔｉｏｎｓ  ｆｏｒ  Ｄｉｓｐｏｓａｂｌｅ  Ｄｉａｐｅｒ）」という米国特許第３，８６０，００３号；１９９２年９月９日にＢｕｅｌｌに発行された米国特許第５，１５１，０９２号；及び１９９３年６月２２日にＢｕｅｌｌに発行された米国特許第５，２２１，２７４号；及び１９９６日９月１０日にＲｏｅらに発行された、発明の名称が「多ゾーン構造弾性様フィルムウェブ延伸性ウエスト部材を備えた吸収体（Ａｂｓｏｒｂｅｎｔ  Ａｒｔｉｃｌｅ  Ｗｉｔｈ  Ｍｕｌｔｉｐｌｅ  Ｚｏｎｅ  Ｓｔｒｕｃｔｕｒａｌ  Ｅｌａｓｔｉｃ−Ｌｉｋｅ  Ｆｉｌｍ  Ｗｅｂ  Ｅｘｔｅｎｓｉｂｌｅ  Ｗａｉｓｔ  Ｆｅａｔｕｒｅ）」という米国特許第５，５５４，１４５号；１９９６年１０月２９日にＢｕｅｌｌらに発行された、発明の名称が「使い捨て引き上げ装着おむつ（Ｄｉｓｐｏｓａｂｌｅ  Ｐｕｌｌ−Ｏｎ  Ｐａｎｔ）」という米国特許第５，５６９，２３４号；１９９６年１２月３日にＮｅａｓｅらに発行された、発明の名称が「吸収体用のサイドパネルを製造するためのゼロスクラップ方法（Ｚｅｒｏ  Ｓｃｒａｐ  Ｍｅｔｈｏｄ  Ｆｏｒ  Ｍａｎｕｆａｃｔｕｒｉｎｇ  Ｓｉｄｅ  Ｐａｎｅｌｓ  Ｆｏｒ  Ａｂｓｏｒｂｅｎｔ  Ａｒｔｉｃｌｅｓ）」という米国特許第５，５８０，４１１号；及び１９９６年９月３０日にＲｏｂｌｅｓらの名前で出願された、発明の名称が「多方向延伸性サイドパネルを備えた吸収体（Ａｂｓｏｒｂｅｎｔ  Ａｒｔｉｃｌｅ  Ｗｉｔｈ  Ｍｕｌｔｉ−Ｄｉｒｅｃｔｉｏｎａｌ  Ｅｘｔｅｎｓｉｂｌｅ  Ｓｉｄｅ  Ｐａｎｅｌｓ）」という米国特許出願番号第０８／７２３，１７９号である。これらの特許の各々は参照してここに組込まれる。
【００１９】
バックシート２６は一般に、吸収性コア２８の衣服側表面４５に隣接した位置にあるおむつ２０の部分である。これはその中に吸収性されて封じ込められた排泄物が、おむつ２０と接触する物、例えばベッドシーツ及び下着を汚すのを防ぐ。好ましい実施形態において、バックシート２６は、液体（例えば尿）不透過性であり、薄いプラスチックフィルム、例えば約０．０１２ｍｍ（０．５ミル）〜約０．０５１ｍｍ（２．０ミル）の厚さを有する熱可塑性フィルムを備えている。適切なバックシートフィルムは、インディアナ州テール・オート（Ｔｅｒｒｅ  Ｈａｕｔｅ，Ｉｎｄｉａｎａ）のトレデガー・インダストリーズ社（Ｔｒｅｄｅｇａｒ  Ｉｎｄｕｓｔｒｉｅｓ  Ｉｎｃ．）によって製造され、商品名Ｘ１５３０６、Ｘ１０９６２、及びＸ１０９６４として販売されているものを含んでいる。その他の適切なバックシート材料は、蒸気をおむつ２０から逃がすことができるにもかかわらず、排泄物がバックシート２６を通過するのを防ぐことができる通気性材料を含んでいてもよい。通気性材料の例には、例えば次の材料が含まれていてもよい。すなわち、織布ウェブ、不織布ウェブ、複合材料、例えばフィルムコート不織布ウェブ、及び微孔質フィルム、例えば日本国三井東圧株式会社からエスポワール・ナンバー（ＥＳＰＯＩＲ  ＮＯ）という名称で、及びテキサス州ベイシティー（Ｂａｙ  Ｃｉｔｙ，ＴＸ）のエクソン・ケミカル社（ＥＸＸＯＮ  Ｃｈｅｍｉｃａｌ．Ｃｏ．）からエックスエアー（ＥＸＸＡＩＲＥ）という名称で製造されているものである。ポリマーブレンドを備えた適切な通気性複合材料は、オハイオ州シンシナティーのクロペイ社（Ｃｌｏｐａｙ  Ｃｏｒｐｏｒａｔｉｏｎ，Ｃｉｎｃｉｎｎａｔｉ，ＯＨ）から入手しうる。このような通気性複合材料は、次の特許により詳細に記載されている。すなわち、１９９５年６月２２日にＥ．Ｉ．Ｄｕｐｏｎｔの名前で公開されたＰＣＴ出願番号第ＷＯ９５／１６７４６号、及び１９９６年１１月６日にＣｕｒｒｏの名前で出願された同時出願（ｃｏｐｅｎｄｉｎｇ）の米国特許出願番号第０８／７４４，４８７号である。不織布ウェブ及び開口成形フィルムを含むその他の通気性バックシートは、１９９６年１１月５日にＤｏｂｒｉｎらに発行された米国特許第５，５７１，０９６号に記載されている。これらの引例の各々は、参照してここに組込まれる。
【００２０】
バックシート２６、又はこれのどの部分も、１つ又はそれ以上の方向に弾性的延伸性があってもよい。１つの実施形態において、バックシート２６は、構造弾性様フィルム（「ＳＥＬＦ」）ウェブを備えていてもよい。構造弾性様フィルムウェブは、追加された弾性材料を用いずに、伸び方向に弾性様挙動を示す延伸性材料であり、これは、１９９６年５月２１日にＣｈａｐｐｅｌｌらに発行された、発明の名称が「弾性様挙動を示すウェブ材料（Ｗｅｂ  Ｍａｔｅｒｉａｌｓ  Ｅｘｈｉｂｉｔｉｎｇ  Ｅｌａｓｔｉｃ−Ｌｉｋｅ  Ｂｅｈａｖｉｏｒ）」という米国特許第５，５１８，８０１号により詳細に記載されている。この特許は参照してここに組込まれる。これに代わる実施形態において、バックシート２６は、エラストマーフィルム、フォーム、ストランド、又はこれら又はその他の適切な材料と不織布又は合成フィルムとの組合わせを備えていてもよい。
【００２１】
バックシート２６は、この技術で知られているあらゆる接着手段によって、トップシート２４、吸収性コア２８、又はおむつ２０のその他のあらゆる要素に接合されていてもよい。例えばこれらの接着手段は、均一連続接着剤層、パターン接着剤層、又は一列の別々の接着剤線、螺旋、又はスポットを含んでいてもよい。１つの好ましい接着手段は、１９８６年３月４日にＭｉｎｅｔｏｌａらに発行された、発明の名称が「使い捨て排泄物封じ込め衣服（Ｄｉｓｐｏｓａｂｌｅ  Ｗａｓｔｅ−Ｃｏｎｔａｉｎｍｅｎｔ  Ｇａｒｍｅｎｔ）」という米国特許第４，５７３，９８６号に開示されているような接着剤フィラメントのオープンパターンネットワークを備えている。その他の適切な接着手段は、例えば次の特許に示されている装置及び方法によって例証されているように渦巻き状に螺旋パターンにされた接着剤フィラメントのいくつかの線を含んでいる。すなわち、１９７５年１０月７日にＳｐｒａｇｕｅ，Ｊｒ．に発行された米国特許第３，９１１，１７３号；１９７８年１１月２２日にＺｉｅｃｋｅｒらに発行された米国特許第４，７８５，９９６号；及び１９８９年６月２７日にＷｅｒｅｎｉｃｚに発行された米国特許第４，８４２，６６６号である。これらの特許の各々は、参照してここに組込まれる。満足すべきことが分かっている接着剤は、ミネソタ州セントポール（Ｓｔ．Ｐａｕｌ，Ｍｉｎｎｅｓｏｔａ）のエイチ・ビー・フラー社（Ｈ．Ｂ．Ｆｕｌｌｅｒ  Ｃｏｍｐａｎｙ）によって製造され、ＨＬ−１６２０及びＨＬ−１３５８−ＸＺＰとして販売されているものである。あるいはまた接着手段は、熱接着、圧力接着、超音波接着、動的機械的接着、又はこの技術で知られているその他のあらゆる適切な接着手段又はこれらの接着手段の組合わせを備えていてもよい。
【００２２】
トップシート２４は、好ましくは吸収性コア２８の体側表面に隣接して配置されており、この技術で知られているあらゆる接着手段によって、吸収性コア２８及び／又はバックシート２６に接合されていてもよい。適切な接着手段は、バックシート２６をおむつ２０のその他の要素に接合するための手段に関して前記されているものである。本発明の１つの好ましい実施形態において、トップシート２４とバックシート２６とは、いくつかの位置において互いに直接接合され、これらをおむつ２０のその他の要素に直接接合することによって他の位置において間接的に互いに接合されている。
【００２３】
トップシート２４は、好ましくは柔軟で感触が柔らかく、装着者の皮膚に刺激を与えない。さらにはトップシート２４の少なくとも一部分は、液体透過性であり、液体がその厚さを容易に透過することができる。適切なトップシート２４は、非常に多様な材料から製造することができる。例えば、多孔質フォーム；網状化フォーム；開口プラスチックフィルム；又は天然繊維（例えば木材繊維又は綿繊維）、合成繊維（例えばポリエステル又はポリプロピレン繊維）、又は天然繊維と合成繊維との組合わせの織布又は不織布ウェブである。トップシート２４が繊維を含んでいるならば、これらの繊維は、スパンボンド、カード、ウエットレイ、メルトブローン、ハイドエンタングルされているか、あるいはまたこの技術で知られているように加工処理されていてもよい。ステープル長さのポリプロピレン繊維のウェブを備えた１つの適切なトップシート２４は、マサチューセッツ州ウオルポール（Ｗａｌｐｏｌｅ，Ｍａｓｓａｃｈｕｓｅｔｔｓ）のインターナショナル・ペーパー社の一部門であるベラテック社（Ｖｅｒａｔｅｃ，Ｉｎｃ．，ａ  Ｄｉｖｉｓｉｏｎ  ｏｆ  Ｉｎｔｅｒｎａｔｉｏｎａｌ  Ｐａｐｅｒ  Ｃｏｍｐａｎｙ）によってＰ−８という名称で製造されている。
【００２４】
適切な成形フィルムトップシートは、次の特許に記載されている。すなわち、１９７５年１２月３０日にＴｈｏｍｐｓｏｎに発行された、発明の名称が「先細り毛管を有する吸収構造（Ａｂｓｏｒｐｔｉｖｅ  Ｓｔｒｕｃｔｕｒｅｓ  Ｈａｖｉｎｇ  Ｔａｐｅｒｅｄ  Ｃａｐｉｌｌａｒｉｅｓ）」という米国特許第３，９２９，１３５号；１９８２年４月１３日にＭｕｌｌａｎｅらに発行された、発明の名称が「歪抵抗性トップシートを有する使い捨て吸収体（Ｄｉｓｐｏｓａｂｌｅ  Ａｂｓｏｒｂｅｎｔ  Ａｒｔｉｃｌｅ  Ｈａｖｉｎｇ  Ａ  Ｓｔｒａｉｎ  Ｒｅｓｉｓｔａｎｔ  Ｔｏｐｓｈｅｅｔ）」という米国特許第４，３２４，２４６号；１９８２年８月３日にＲａｄｅｌらに発行された、発明の名称が「繊維様特性を示す弾性プラスチックウェブ（Ｒｅｓｉｌｉｅｎｔ  Ｐｌａｓｔｉｃ  Ｗｅｂ  Ｅｘｈｉｂｉｔｉｎｇ  Ｆｉｂｅｒ−Ｌｉｋｅ  Ｐｒｏｐｅｒｔｉｅｓ）」という米国特許第４，３４２，３１４号；１９８４年７月３１日にＡｈｒらに発行された、発明の名称が「非光沢性可視表面と布様触感を示す巨視的膨張三次元プラスチックウェブ（Ｍａｃｒｏｓｃｏｐｉｃａｌｌｙ  Ｅｘｐａｎｄｅｄ  Ｔｈｒｅｅ−Ｄｉｍｅｎｓｉｏｎａｌ  Ｐｌａｓｔｉｃ  Ｗｅｂ  Ｅｘｈｉｂｉｔｉｎｇ  Ｎｏｎ−Ｇｌｏｓｓｙ  Ｖｉｓｉｂｌｅ  Ｓｕｒｆａｃｅ  ａｎｄ  Ｃｌｏｔｈ−Ｌｉｋｅ  Ｔａｃｔｉｌｅ  Ｉｍｐｒｅｓｓｉｏｎ）」という米国特許第４，４６３，０４５号；及び１９９１年４月９日にＢａｉｒｄに発行された、発明の名称が「多層ポリマーフィルム（Ｍｕｌｔｉｌａｙｅｒ  Ｐｏｌｙｍｅｒｉｃ  Ｆｉｌｍ）」という米国特許第５，００６，３９４号である。その他の適切なトップシート３０は、それぞれ１９８６年９月２日及び１９８６年１２月１６日にＣｕｒｒｏらに発行された米国特許第４，６０９，５１８号及び第４，６２９，６４３号に従って製造される。これらの特許のどちらも参照してここに組込まれる。このような成形フィルムは、オハイオ州シンシナティーのザ・プロクター・アンド・ギャンブル社から「ドリウィーブ（ＤＲＩ−ＷＥＡＶＥ）」として、及びインディアナ州テール・オート（Ｔｅｒｒｅ  Ｈａｕｔｅ，Ｉｎｄｉａｎａ）のトレデガー社から「クリフ（ＣＬＩＦＦ）―Ｔ」として入手しうる。
【００２５】
好ましくはトップシート２４は、疎水性材料からできているか、あるいは装着者の皮膚を吸収性コア２８の中に封じ込められた液体から隔離するために、疎水性処理されている。トップシート２４が疎水性材料からできているならば、好ましくはトップシート２４の少なくとも上部表面は、液体がトップシート２４をより素早く移動するように親水性処理されている。これによって、体の排泄物がトップシート２４を通って引き込まれて吸収性コア２８によって吸収されるのではなく、トップシート２４から流れ落ちる可能性が小さくなる。トップシート２４は、界面活性剤で処理することによって、あるいは界面活性剤をトップシート２４に組込むことによって親水性にすることができる。トップシート２４を界面活性剤で処理するのに適した方法は、トップシート２４の材料に界面活性剤をスプレーすること、及びこの材料を界面活性剤の中に浸漬することが含まれる。このような処理及び親水性のより詳細な考察は、次の特許に含まれている。すなわち、１９９１年１月２９日にＲｅｉｓｉｎｇらに発行された、発明の名称が「多層吸収層を備えた吸収体（Ａｂｓｏｒｂｅｎｔ  Ａｒｔｉｃｌｅｓ  ｗｉｔｈ  Ｍｕｌｔｉｐｌｅ  Ｌａｙｅｒ  Ａｂｓｏｒｂｅｎｔ  Ｌａｙｅｒｓ）」という米国特許第４，９８８，３４４号、及び１９９１年１月２９日にＲｅｉｓｉｎｇに発行された、発明の名称が「素早い受入れの吸収性コアを備えた吸収体（Ａｂｓｏｒｂｅｎｔ  Ａｒｔｉｃｌｅｓ  ｗｉｔｈ  Ｒａｐｉｄ  Ａｃｑｕｉｒｉｎｇ  Ａｂｓｏｒｂｅｎｔ  Ｃｏｒｅｓ）」という米国特許第４，９８８，３４５号である。界面活性剤をトップシートに組込むのに適したいくつかの方法のより詳細な考察は、１９９７年７月１日にＡｚｉｚらの名前で公開された、米国法定発明登録番号第Ｈ１６７０号に見られる。これらの引例の各々は、参照してここに組込まれる。あるいはまたトップシート２４は、疎水性の開口ウェブ又はフィルムを含んでいてもよい。これは、製造工程から親水性化処理工程を取り除き、及び／又はトップシート２４に疎水性処理、例えばポリテトラフルオロエチレン化合物、例えばスコッチガード（ＳＣＯＴＣＨＧＵＡＲＤ）又は下記のような疎水性ローション組成物を加えることによって実施しうる。このような実施形態において、開口部は、有意な抵抗を伴わずに水性液体例えば尿を透過させるのに十分な程度に大きいのが好ましい。
【００２６】
トップシート２４のどの部分も、この技術で知られているローションでコートされていてもよい。適切なローションの例には、次の特許に記載されているものが含まれる。すなわち、１９９７年３月４日にＲｏｅに発行された、発明の名称が「エモリエント及びポリオールポリエステル固定化剤を含むローショントップシートを有する使い捨て吸収体（Ｄｉｓｐｏｓａｂｌｅ  Ａｂｓｏｒｂｅｎｔ  Ａｒｔｉｃｌｅ  Ｈａｖｉｎｇ  Ａ  Ｌｏｔｉｏｎｅｄ  Ｔｏｐｓｈｅｅｔ  Ｃｏｎｔａｉｎｉｎｇ  ａｎ  Ｅｍｏｌｌｉｅｎｔ  ａｎｄ  ａ  Ｐｏｌｙｏｌ  Ｐｏｌｙｅｓｔｅｒ  Ｉｍｍｏｂｉｌｉｚｉｎｇ  Ａｇｅｎｔ）」という米国特許第５，６０７，７６０号；１９９７年３月１１日にＲｏｅに発行された、発明の名称が「液体ポリオールポリエステルエモリエントと固定化剤とを備えたローショントップシートを有するおむつ（Ｄｉａｐｅｒ  Ｈａｖｉｎｇ  ａ  Ｌｏｔｉｏｎ  Ｔｏｐｓｈｅｅｔ  Ｃｏｍｐｒｉｓｉｎｇ  ａ  Ｌｉｑｕｉｄ  Ｐｏｌｙｏｌ  Ｐｏｌｙｅｓｔｅｒ  Ｅｍｏｌｌｉｅｎｔ  ａｎｄ  ａｎ  Ｉｍｍｏｂｉｌｉｚｉｎｇ  Ａｇｅｎｔ）」という米国特許第５，６０９，５８７号；１９９７年６月３日にＲｏｅらに発行された、発明の名称が「ポリシロキサンエモリエントを含むローショントップシートを有するおむつ（Ｄｉａｐｅｒ  Ｈａｖｉｎｇ  Ａ  Ｌｏｔｉｏｎｅｄ  Ｔｏｐｓｈｅｅｔ  Ｃｏｎｔａｉｎｉｎｇ  Ａ  Ｐｏｌｙｓｉｌｏｘａｎｅ  Ｅｍｏｌｌｉｅｎｔ）」という米国特許第５，６３５，１９１号；及び１９９７年７月１日にＲｏｅらに発行された、発明の名称が「ローショントップシートを有するおむつ（Ｄｉａｐｅｒ  ｈａｖｉｎｇ  ａ  Ｌｏｔｉｏｎｅｄ  Ｔｏｐｓｈｅｅｔ）」という米国特許第５，６４３，５８８号である。ローションは、単独であるいは前記疎水化処理として別の薬剤と組合わせて機能しうる。トップシート２４はまた、抗菌剤を含んでいてもよく、これで処理されていてもよい。これのいくつかの例は、１９９５年９月１４日にＴｈｅｒｅｓａ  Ｊｏｈｎｓｏｎの名前で公開された、発明の名称が「臭気制御のためにトップシートに抗菌剤を含んでいる吸収体（Ａｂｓｏｒｂｅｎｔ  Ａｒｔｉｃｌｅｓ  Ｃｏｎｔａｉｎｉｎｇ  Ａｎｔｉｂａｃｔｅｒｉａｌ  Ａｇｅｎｔｓ）」というＰＣＴ公開番号第ＷＯ９５／２４１７３号に開示されている。さらにはトップシート２４、バックシート２６、又はトップシート２４又はバックシート２６のあらゆる部分は、より布様の外見を与えるためにエンボスされるか、及び／又はマット仕上げされていてもよい。
【００２７】
吸収性コア２８は、一般に圧縮性で、形に沿いやすく、装着者の皮膚に刺激を与えず、液体、例えば尿及びその他のいくつかの体の排泄物を吸収して保持しうるあらゆる吸収性材料を備えていてもよい。吸収性コア２８は、非常に多様なサイズ及び形状（例えば長方形、砂時計形、「Ｔ」形状、非対称形等）において製造することができ、かつ使い捨ておむつ及びその他の吸収体に通常用いられている非常に多様な液体吸収性材料、例えば一般にエアフェルトと呼ばれている微粉砕木材パルプを備えていてもよい。その他の適切な吸収性材料の例には、クレープセルロースワッディング；コフォームを含むメルトブローンポリマー；化学的剛化、変性、又は架橋セルロース繊維；ティシューラップ及びティシューラミネートを含むティシュー；吸収性フォーム；吸収性スポンジ；超吸収性ポリマー；吸収性ゲル化材料；又はその他の既知のあらゆる吸収性材料又は材料の組合わせが含まれる。
【００２８】
吸収性コア２８の形状及び構成も様々であってもよい（例えば吸収性コア又はその他の吸収構造は、様々なキャリパーゾーン、親水性勾配、超吸収性勾配、又は比較的低い平均密度及び比較的低い平均坪量の受入れゾーンを有していてもよく；あるいは１つ又はそれ以上の層又は構造を備えていてもよい）。しかしながら吸収性コア２８の総吸収力は、おむつ２０の設計負荷及び意図されている用途に適合したものであるべきである。
【００２９】
吸収性コア２８として用いるための吸収構造の例は、次の特許に記載されている。すなわち、１９８６年９月９日にＷｅｉｓｍａｎらに発行された、発明の名称が「高密度吸収構造（Ｈｉｇｈ−Ｄｅｎｓｉｔｙ  Ａｂｓｏｒｂｅｎｔ  Ｓｔｒｕｃｔｕｒｅｓ）」という米国特許第４，６１０，６７８号；１９８７年６月１６日にＷｅｉｓｍａｎらに発行された、発明の名称が「二重層コアを備えた吸収体（Ａｂｓｏｒｂｅｎｔ  Ａｒｔｉｃｌｅｓ  Ｗｉｔｈ  Ｄｕａｌ−Ｌａｙｅｒｅｄ  Ｃｏｒｅｓ）」という米国特許第４，６７３，４０２号；１９８９年５月３０日にＡｌｅｍａｎｙらに発行された、発明の名称が「比較的低い密度及び比較的低い坪量の受入れゾーンを有する高密度吸収性部材（Ｈｉｇｈ  Ｄｅｎｓｉｔｙ  Ａｂｓｏｒｂｅｎｔ  Ｍｅｍｂｅｒｓ  Ｈａｖｉｎｇ  Ｌｏｗｅｒ  Ｄｅｎｓｉｔｙ  ａｎｄ  Ｌｏｗｅｒ  Ｂａｓｉｓ  Ｗｅｉｇｈｔ  Ａｃｑｕｉｓｉｔｉｏｎ  Ｚｏｎｅｓ）」という米国特許第４，８３４，７３５号；１９８９年１２月１９日にＡｎｇｓｔａｄｔに発行された、発明の名称が「ダスチング層を有する吸収性コア（Ａｂｓｏｒｂｅｎｔ  Ｃｏｒｅ  Ｈａｖｉｎｇ  Ａ  Ｄｕｓｔｉｎｇ  Ｌａｙｅｒ）」という米国特許第４，８８８，２３１号；１９９２年８月１１日にＨｅｒｒｏｎらに発行された、発明の名称が「個別化ポリカルボン酸架橋木材パルプセルロース繊維を含む吸収構造（Ａｂｓｏｒｂｅｎｔ  Ｓｔｒｕｃｔｕｒｅｓ  Ｃｏｎｔａｉｎｉｎｇ  Ｉｎｄｉｖｉｄｕａｌｉｚｅｄ，Ｐｏｌｙｃａｒｂｏｘｙｌｉｃ  Ａｃｉｄ  Ｃｒｏｓｓｌｉｎｋｅｄ  Ｗｏｏｄ  Ｐｕｌｐ  Ｃｅｌｌｕｌｏｓｅ  Ｆｉｂｅｒｓ）」という米国特許第５，１３７，５３７号；１９９２年９月１５日にＹｏｕｎｇらに発行された、発明の名称が「失禁管理用の高効率吸収体（Ｈｉｇｈ  Ｅｆｆｉｃｉｅｎｃｙ  Ａｂｓｏｒｂｅｎｔ  Ａｒｔｉｃｌｅｓ  Ｆｏｒ  Ｉｎｃｏｎｔｉｎｅｎｃｅ  Ｍａｎａｇｅｍｅｎｔ）」という米国特許第５，１４７，３４５号；１９９４年８月３０日にＲｏｅに発行された、発明の名称が「低粘度大便物質のための使い捨て吸収体（Ｄｉｓｐｏｓａｂｌｅ  Ａｂｓｏｒｂｅｎｔ  Ａｒｔｉｃｌｅ  Ｆｏｒ  Ｌｏｗ−Ｖｉｓｃｏｓｉｔｙ  Ｆｅｃａｌ  Ｍａｔｅｒｉａｌ）」という米国特許第５，３４２，３３８号；１９９３年１１月９日にＤｅｓＭａｒａｉｓらに発行された、発明の名称が「体内からの水性液体用の吸収性フォーム材料及びこのような材料を含む吸収体（Ａｂｓｏｒｂｅｎｔ  Ｆｏａｍ  Ｍａｔｅｒｉａｌｓ  Ｆｏｒ  Ａｑｕｅｏｕｓ  Ｂｏｄｙ  Ｆｌｕｉｄｓ  ａｎｄ  Ａｂｓｏｒｂｅｎｔ  Ａｒｔｉｃｌｅｓ  Ｃｏｎｔａｉｎｉｎｇ  Ｓｕｃｈ  Ｍａｔｅｒｉａｌｓ）」という米国特許第５，２６０，３４５号；１９９５年２月７日にＤｙｅｒらに発行された、発明の名称が「体内からの水性液体用の、濡れるまで薄い吸収性フォーム材料及びこれの製造方法（Ｔｈｉｎ−Ｕｎｔｉｌ−Ｗｅｔ  Ａｂｓｏｒｂｅｎｔ  Ｆｏａｍ  Ｍａｔｅｒｉａｌｓ  Ｆｏｒ  Ａｑｕｅｏｕｓ  Ｂｏｄｙ  Ｆｌｕｉｄｓ  Ａｎｄ  Ｐｒｏｃｅｓｓ  Ｆｏｒ  Ｍａｋｉｎｇ  Ｓａｍｅ）」という米国特許第５，３８７，２０７号；及び１９９７年７月２２日にＤｅｓＭａｒａｉｓらに発行された、発明の名称が「非��に高い水対油比を有する高内相エマルジョンからつくられた水性液体用の吸収性フォーム材料（Ａｂｓｏｒｂｅｎｔ  Ｆｏａｍ  Ｍａｔｅｒｉａｌｓ  Ｆｏｒ  Ａｑｕｅｏｕｓ  Ｆｌｕｉｄｓ  Ｍａｄｅ  Ｆｒｏｍ  Ｈｉｇｈ  Ｉｎｔｅｒｎａｌ  Ｐｈａｓｅ  Ｅｍｕｌｓｉｏｎｓ  Ｈａｖｉｎｇ  Ｖｅｒｙ  Ｈｉｇｈ  Ｗａｔｅｒ−Ｔｏ−Ｏｉｌ  Ｒａｔｉｏｓ）」という米国特許第５，６２５，２２２号である。これらの特許の各々は、参照してここに組込まれる。
【００３０】
おむつ２０はまた、改良されたフィット及び封じ込めを与えるのを補助する少なくとも１つの弾性ウエスト部材３４を備えていてもよい。弾性ウエスト部材３４は一般に、装着者のウエストに動的にフィットするために弾性的に伸縮するためのものである。弾性ウエスト部材３４は好ましくは、吸収性コア２８の少なくとも１つのウエスト縁６２から少なくとも長手方向に外側に延びており、一般におむつ２０の端縁５２の少なくとも一部分を形成する。使い捨ておむつは多くの場合、１つが第一ウエスト部３６に、１つが第二ウエスト部３８に配置されている、２つの弾性ウエスト部材を有するように構成されている。さらには弾性ウエスト部材３４あるいはその構成要素のうちのどれも、おむつ２０に付着された１つ又はそれ以上の別々の要素を備えていてもよいが、弾性ウエスト部材３４は、おむつ２０の他の要素、例えばバックシート２６、トップシート２４、又はバックシート２６とトップシート２４との両方の延長部として構成されていてもよい。
【００３１】
弾性ウエスト部材３４は、いくつかの様々な形状に構成されていてもよい。これには例えば、１９８５年５月７日にＫｉｅｖｉｔらに発行された米国特許第４，５１５，５９５号；１９８７年１２月１日にＬａｓｈに発行された米国特許第４，７１０，１８９号；１９９２年９月９日にＢｕｅｌｌに発行された米国特許第５，１５１，０９２号；及び１９９３年６月２２日にＢｕｅｌｌに発行された米国特許第５，２２１，２７４号に記載されているものが含まれる。その他の適切なウエスト形状は、ウエストキャップ部材を含んでいてもよい。例えば１９９１年６月２５日にＲｏｂｅｒｔｓｏｎに発行された米国特許第５，０２６，３６４号及び１９８９年３月２８日にＦｏｒｅｍａｎに発行された米国特許第４，８１６，０２５号に記載されているようなものである。前記引例のすべては、参照してここに組込まれる。
【００３２】
おむつ２０はまた、留め具装置４０を含んでいてもよい。留め具装置４０は好ましくは、おむつ２０を装着者に保持するために、おむつ２０の円周部の周りに側面方向の張力を与えるように、第一ウエスト部３６と第二ウエスト部３８とを重なり合った形状に維持する。留め具装置４０は好ましくは、テープタブ及び／又はフック及びループ留め具要素を備えている。但し、その他のあらゆる既知の留め具手段が一般的には許容しうる。留め具装置のいくつかの例は、次の特許に開示されている。すなわち、１９７４年１１月１９日にＢｕｅｌｌに発行された、発明の名称が「使い捨ておむつ用のテープ留め具装置（Ｔａｐｅ  Ｆａｓｔｅｎｉｎｇ  Ｓｙｓｔｅｍ  ｆｏｒ  Ｄｉｓｐｏｓａｂｌｅ  Ｄｉａｐｅｒ）」という米国特許第３，８４８，５９４号；１９８７年５月５日にＨｉｒｏｔｓｕらに発行された、発明の名称が「吸収体（Ａｂｓｏｒｂｅｎｔ  Ａｒｔｉｃｌｅ）」という米国特許第Ｂ１  ４，６６２，８７５号；１９８９年７月１１日にＳｃｒｉｐｐｓに発行された、発明の名称が「改良された留め具装置を有する使い捨ておむつ（Ｄｉｓｐｏｓａｂｌｅ  Ｄｉａｐｅｒ  Ｈａｖｉｎｇ  Ａｎ  Ｉｍｐｒｏｖｅｄ  Ｆａｓｔｅｎｉｎｇ  Ｄｅｖｉｃｅ）」という米国特許第４，８４６，８１５号；１９９０年１月１６日にＮｅｓｔｅｇａｒｄに発行された、発明の名称が「改良されたフック留め具部分を備えた使い捨ておむつ（Ｄｉｓｐｏｓａｂｌｅ  Ｄｉａｐｅｒ  Ｗｉｔｈ  Ｉｍｐｒｏｖｅｄ  Ｈｏｏｋ  Ｆａｓｔｅｎｅｒ  Ｐｏｒｔｉｏｎ）」という米国特許第４，８９４，０６０号；１９９０年８月７日にＢａｔｔｒｅｌｌに発行された、発明の名称が「感圧接着剤留め具及びこれの製造方法（Ｐｒｅｓｓｕｒｅ−Ｓｅｎｓｉｔｉｖｅ  Ａｄｈｅｓｉｖｅ  Ｆａｓｔｅｎｅｒ  Ａｎｄ  Ｍｅｔｈｏｄ  ｏｆ  Ｍａｋｉｎｇ  Ｓａｍｅ）」という米国特許第４，９４６，５２７号；及び１９９２年９月９日にＢｕｅｌｌに発行された前記引例の米国特許第５，１５１，０９２号；及び１９９３年６月２２日にＢｕｅｌｌに発行された米国特許第５，２２１，２７４号である。留め具装置はまた、１９９０年１０月１６日にＲｏｂｅｒｔｓｏｎらに発行された米国特許第４，９６３，１４０号に開示されている使い捨て形状にこの製品を保持するための手段を与えることもできる。これらの特許の各々は、参照してここに組込まれる。これに代わる実施形態において、衣服の向かい合った側が継ぎ合わされるか、あるいは溶接されてパンツが形成されてもよい。これによってこの製品は、引き上げ装着型おむつ、例えばトイレットトレーニングパンツとして用いられる。
【００３３】
おむつ２０はまたサイドパネル３０を備えていてもよい。サイドパネル３０は、おむつ２０を装着者に当初から形に合うようにフィットさせ、おむつ２０に排泄物が負荷されたずっとあとでも装着の間中このフィットを維持させることによって、より快適で輪郭に合ったフィットを与えるために弾性又は延伸性であってもよい。これは、弾性化サイドパネル３０によっておむつ２０のサイド部が伸縮しうるからである。サイドパネル３０はまた、おむつ２０のより効果的な装着をも与えることができる。その理由は、装着させている間、たとえ１つの弾性化サイドパネル３０をもう一方のものよりも多く引っ張っても、おむつ２０は装着中「自己調節」されるからである。
【００３４】
本発明のおむつ２０は一般的には第二ウエスト部３８に配置されたサイドパネル３０を有しているが、おむつ２０には、第一ウエスト部３６又は第一ウエスト部３６と第二ウエスト部３８との両方に配置されたサイドパネル３０が備えられていてもよい。サイドパネル３０は、あらゆる適切な形状に構成されていてもよい。弾性化サイドパネルを備えたおむつの例は、次の特許に開示されている。すなわち、１９８９年８月１５日にＷｏｏｄらに発行された、発明の名称が「シャーリングされた耳部を有する使い捨ておむつ（Ｄｉｓｐｏｓａｂｌｅ  Ｄｉａｐｅｒ  Ｈａｖｉｎｇ  Ｓｈｉｒｒｅｄ  Ｅａｒｓ）」という米国特許第４，８５７，０６７号；１９８３年５月３日にＳｉａｒａｆｆａらに発行された米国特許第４，３８１，７８１号；１９９０年７月３日にＶａｎ  Ｇｏｍｐｅｌらに発行された米国特許第４，９３８，７５３号；１９９２年９月９日にＢｕｅｌｌに発行された前記引例の米国特許第５，１５１，０９２号；及び１９９３年６月２２日にＢｕｅｌｌに発行された米国特許第５，２２１，２７４号；１９９７年９月２３日にＬａＶｏｎらに発行された、発明の名称が「持続した動的フィットを与える吸収体（Ａｂｓｏｒｂｅｎｔ  Ａｒｔｉｃｌｅｓ  Ｐｒｏｖｉｄｉｎｇ  Ｓｕｓｔａｉｎｅｄ  Ｄｙｎａｍｉｃ  Ｆｉｔ）」という米国特許第５，６６９，８９７号；及び１９９３年１１月１９日にＲｏｂｌｅｓらの名前で出願された、発明の名称が「多方向延伸性サイドパネルを備えた吸収体（Ａｂｓｏｒｂｅｎｔ  Ａｒｔｉｃｌｅｓ  Ｗｉｔｈ  Ｍｕｌｔｉ−Ｄｉｒｅｃｔｉｏｎａｌ  Ｅｘｔｅｎｓｉｂｌｅ  Ｓｉｄｅ  Ｐａｎｅｌｓ）」という米国特許出願番号第０８／１５５，０４８号である。これらの特許の各々は参照してここに組込まれる。
【００３５】
おむつ２０はさらにレッグカフス３２を含んでいてもよく、これは、液体及びその他の体の排泄物の改良された封じ込めを与える。レッグカフスはまた、レッグバンド、サイドフラップ、バリヤーカフス、又は弾性カフスと呼ばれてもよい。米国特許第３，８６０，００３号は、サイドフラップ及び１つ又はそれ以上の弾性部材を有する収縮性脚部開口部を備えて、弾性化レッグカフス（ガスケットカフス）を生じる使い捨ておむつについて記載している。それぞれ１９８９年２月２８日及び１９９０年３月２０日にＡｚｉｚらに発行された米国特許第４，８０８，１７８号及び第４，９０９，８０３号は、脚部の封じ込めを改良する「立ち上がった」弾性化フラップ（バリヤーカフス）を有する使い捨ておむつについて記載している。１９８７年９月２２日にＬａｗｓｏｎに発行された米国特許第４，６９５，２７８号及び１９８９年１月３日にＤｒａｇｏｏに発行された米国特許第４，７９５，４５４号は、ガスケットカフスとバリヤーカフスとを含む二重カフスを有する使い捨ておむつについて記載している。いくつかの実施形態において、レッグカフスの全部又は一部分を、前記のようにローションで処理することが望ましいこともある。
【００３６】
本発明の実施形態はまた、排泄物を受取って入れるためのポケット、排泄物のための空隙を生じるスペーサー、この製品内での排泄物の動きを制限するためのバリヤー、おむつに付着した排泄物物質を受入れて封じ込めるための区画又は空隙等、あるいはこれらの組合わせを含んでいてもよい。吸収性製品に用いるためのポケット及びスペーサーの例は、次の特許に記載されている。すなわち、１９９６年５月７日にＲｏｅらに発行された、発明の名称が「排除性スペーサーを有するおむつ（Ｄｉａｐｅｒ  Ｈａｖｉｎｇ  Ｅｘｐｕｌｓｉｖｅ  Ｓｐａｃｅｒ）」という米国特許第５，５１４，１２１号；１９９２年１２月１５日にＤｒｅｉｅｒらに発行された、発明の名称が「コアスペーサーを有する使い捨て吸収体（Ｄｉｓｐｏｓａｂｌｅ  Ａｂｓｏｒｂｅｎｔ  Ａｒｔｉｃｌｅ  Ｈａｖｉｎｇ  Ｃｏｒｅ  Ｓｐａｃｅｒｓ）」という米国特許第５，１７１，２３６号；１９９５年３月１４日にＤｒｅｉｅｒに発行された、発明の名称が「ポケットカフスを有する吸収体（Ａｂｓｏｒｂｅｎｔ  Ａｒｔｉｃｌｅ  Ｈａｖｉｎｇ  Ａ  Ｐｏｃｋｅｔ  Ｃｕｆｆ）」という米国特許第５，３９７，３１８号；１９９６年７月３０日にＤｒｅｉｅｒに発行された、発明の名称が「頂部を備えたポケットカフスを有する吸収体（Ａｂｓｏｒｂｅｎｔ  Ａｒｔｉｃｌｅ  Ｈａｖｉｎｇ  Ａ  Ｐｏｃｋｅｔ  Ｃｕｆｆ  Ｗｉｔｈ  Ａｎ  Ａｐｅｘ）」という米国特許第５，５４０，６７１号；及び１９９３年１２月３日に公開された、発明の名称が「衛生的吸収体に用いるためのスペーサー及びこのようなスペーサーを有する使い捨て吸収体（Ｓｐａｃｅｒｓ  Ｆｏｒ  Ｕｓｅ  Ｉｎ  Ｈｙｇｉｅｎｉｃ  Ａｂｓｏｒｂｅｎｔ  Ａｒｔｉｃｌｅｓ  Ａｎｄ  Ｄｉｓｐｏｓａｂｌｅ  Ａｂｓｏｒｂｅｎｔ  Ａｒｔｉｃｌｅｓ  Ｈａｖｉｎｇ  Ｓｕｃｈ  Ｓｐａｃｅｒ）」というＰＣＴ出願番号第ＷＯ９３／２５１７２号；及び１９９４年４月２６日にＦｒｅｅｌａｎｄに発行された、発明の名称が「使い捨て吸収体に用いるための柔軟性スペーサー（Ｆｌｅｘｉｂｌｅ  Ｓｐａｃｅｒｓ  Ｆｏｒ  Ｕｓｅ  Ｉｎ  Ｄｉｓｐｏｓａｂｌｅ  Ａｂｓｏｒｂｅｎｔ  Ａｒｔｉｃｌｅｓ）」という米国特許第５，３０６，２６６号である。区画又は空隙の例は、次の特許に開示されている。すなわち、１９９０年１１月６日にＫｈａｎに発行された、発明の名称が「使い捨て大便区画付きおむつ（Ｄｉｓｐｏｓａｂｌｅ  Ｆｅｃａｌ  Ｃｏｍｐａｒｔｍｅｎｔｉｎｇ  Ｄｉａｐｅｒ）」という米国特許第４，９６８，３１２号；１９９１年２月５日にＦｒｅｅｌａｎｄに発行された、発明の名称が「排泄物物質の隔離のための弾性ライナーを備えた吸収体（Ａｂｓｏｒｂｅｎｔ  Ａｒｔｉｃｌｅｓ  Ｗｉｔｈ  Ｅｌａｓｔｉｃ  Ｌｉｎｅｒ  Ｆｏｒ  Ｗａｓｔｅ  Ｍａｔｅｒｉａｌ  Ｉｓｏｌａｔｉｏｎ）」という米国特許第４，９９０，１４７号；１９９１年１１月５日にＨｏｌｔらに発行された、発明の名称が「使い捨ておむつ（Ｄｉｓｐｏｓａｂｌｅ  Ｄｉａｐｅｒｓ）」という米国特許第５，６２，８４０号；及び１９９３年１２月１４日にＦｒｅｅｌａｎｄらに発行された、発明の名称が「使い捨て吸収体のための三等分トップシート及びこのような三等分トップシートを有する使��捨て吸収体（Ｔｒｉｓｅｃｔｉｏｎ  Ｔｏｐｓｈｅｅｔｓ  Ｆｏｒ  Ｄｉｓｐｏｓａｂｌｅ  Ａｂｓｏｒｂｅｎｔ  Ａｒｔｉｃｌｅｓ  Ａｎｄ  Ｄｉｓｐｏｓａｂｌｅ  Ａｂｓｏｒｂｅｎｔ  Ａｒｔｉｃｌｅｓ  Ｈａｖｉｎｇ  Ｓｕｃｈ  Ｔｒｉｓｅｃｔｉｏｎ  Ｔｏｐｓｈｅｅｔｓ）」という米国特許第５，２６９，７５５号である。適切な横断方向バリヤーの例は、次の特許に記載されている。すなわち、１９９６年９月１０日にＤｒｅｉｅｒらの名前で発行された、発明の名称が「多数の効果的高さの横断方向仕切りを有する吸収体（Ａｂｓｏｒｂｅｎｔ  Ａｒｔｉｃｌｅｓ  Ｈａｖｉｎｇ  Ｍｕｌｔｉｐｌｅ  Ｅｆｆｅｃｔｉｖｅ  Ｈｅｉｇｈｔ  Ｔｒａｎｓｖｅｒｓｅ  Ｐａｒｔｉｔｉｏｎ）」という米国特許第５，５５４，１４２号；１９９４年７月７日にＦｒｅｅｌａｎｄらの名前で公開された、発明の名称が「立ち上がった横断方向仕切りを有する吸収体（Ａｂｓｏｒｂｅｎｔ  Ａｒｔｉｃｌｅ  Ｈａｖｉｎｇ  Ａｎ  Ｕｐｓｔａｎｄｉｎｇ  Ｔｒａｎｓｖｅｒｓｅ  Ｐａｒｔｉｔｉｏｎ）」というＰＣＴ特許第ＷＯ９４／１４３９５号；及び１９９７年８月５日にＲｏｅらに発行された、発明の名称が「角度をつけて立ち上がった横断方向仕切りを有する吸収体（Ａｂｓｏｒｂｅｎｔ  Ａｒｔｉｃｌｅｓ  Ｈａｖｉｎｇ  Ａｎｇｕｌａｒ  Ｕｐｓｔａｎｄｉｎｇ  Ｔｒａｎｓｖｅｒｓｅ  Ｐａｒｔｉｔｉｏｎ）」という米国特許第５，６５３，７０３号である。前記引例のすべては、参照してここに組込まれる。
【００３７】
本発明の実施形態はまた、効果的及び効率的に粘性液体の体の排泄物、例えば柔らかい液状の大便を受入れ、貯蔵し、及び／又は固定化しうる排泄物管理要素を含んでいてもよい。排泄物管理要素は、股部又はウエスト部を含むこの製品のどこに位置していてもよく、あるいはあらゆる支持部材または要素、例えばコア２８、レッグカフス等と組合わされていてもよく、あるいはその中に含まれていてもよい。好ましい実施形態において、排泄物管理要素は、装着された時に装着者の肛門周囲（ｐｅｒｉａｎａｌ）部の近くのこの製品の部位に位置している。これによって確実に、排出されたあらゆる排泄物が、排泄物管理要素の上またはその近くに付着するようにされる。吸収性製品に用いるための排泄物管理要素の例は、１９９７年１１月１４日に出願され、１９９９年２月１９日に許可された、発明の名称が「粘性液体の体の排泄物管理製品（Ｖｉｓｃｏｕｓ  Ｆｌｕｉｄ  Ｂｏｄｉｌｙ  Ｗａｓｔｅ  Ｍａｎａｇｅｍｅｎｔ  Ａｒｔｉｃｌｅ）」という同時出願番号第０８／９７０５０９号に記載されている。
【００３８】
図２は、要素の内部配列がより見やすいようにトップシート２４が取り除かれた、図１のおむつ２０の平面図である。おむつ２０は、バックシート２６、主吸収性コア２８、操作部材７０、及び感湿要素を備えた平行移動装置７８を備えている。図２に示されている実施形態の場合、操作部材７０は補助吸収性コア８０を備えており、感湿要素は感湿フィラメント７５を備えている。補助吸収性コア８０は、主吸収性コア２８に対してフィラメント７５を介して可動（例えば「平行移動的」）である。
【００３９】
フィラメント７５は、第一接着点７４において補助吸収性コア８０に付着され、第二接着点７６において主吸収性コア２８に付着されている。フィラメント７５は、あらゆる便利な手段によって、例えば通常のホットメルト接着剤を用いて、第一接着点７４及び第二接着点７６に接着されていてもよい。
【００４０】
図２に示されている感湿要素は、単一フィラメント７５であるが、しかしながら製造業者の考え次第で、多数のフィラメントを用いることができると理解すべきである。さらにはテープ又はその他の同様な細長い構造を、フィラメント７５の代わりに用いることができる。
【００４１】
感湿フィラメント７５は、水、尿、又はその他の液体の体の排泄物で濡れた時に、縮む（すなわち短くなる）材料を含んでいる。感湿フィラメント７５は、縮む前、縮んだ後、又は縮む前と後のどちらにも弾性であってもよいが、弾性は本発明に用いるのに必要な特性ではない。感湿フィラメントの例は、１９８３年１２月６日にＩｔｏらに発行された米国特許第４，４１８，５２４号において詳細に考察されている。この特許は参照してここに組込まれる。この発明の実施において用いられるあらゆる感湿フィラメントの縮む度合いは、形状配置に応じて所望の位置に操作部材を平行移動させるのに適したものであるべきである。
【００４２】
例えば感湿フィラメント７５は、約０．１５〜約０．４の置換度を有するカルボキシメチル化セルロースを備えた少なくとも１つの感湿フィラメントと、少なくとも１つの通常の（例えば非感湿）フィラメントとの複合材料を備えて、他の特性のうちでも特に、この複合材料の全体の強さを向上させることができる。別の実施形態において、複合材料は、１つの感湿フィラメントと、１つの通常のフィラメントとを備えていてもよい。この複合材料は、その感湿属性を向上させるために捩られていてもよい。この感湿フィラメントは、尿又はその他の液体の体の排泄物で濡れた時、そのもとの長さの約５０％〜約７５％、好ましくは約９０％まで縮む。
【００４３】
図４及び５に示されている別の実施形態において、おむつ２０は、バックシート２６、主吸収性コア２８、及び感湿フィラメント７５を介して連結された補助吸収性コア８０と第二補助吸収性コア８２とを備えた２つの操作部材を備えている。感湿フィラメント７５は、第一接着点７４において補助吸収性コア８０に付着され、第二接着点７６において第二補助吸収性コア８２に付着されている。補助吸収性コア８０及び第二補助吸収性コア８２は、主吸収性コア２８に対して、及び互いに対して可動である（例えば「平行移動的である」）。使用中、湿分はフィラメント７５を収縮させ、これによって補助吸収性コア８０及び８２が共に引っ張られてターゲットゾーンに入れられる。
【００４４】
図２及び３のおむつ２０と図４及び５のおむつ２０との間の区別は、図４及び５に示されているおむつ形状が、２つの可動補助吸収性コア８０及び８２を備えている一方で、図２及び３に示されているおむつ形状が、単一の可動補助吸収性コア８０のみを備えているということである。２つのおむつ形状の材料及び構成方法は、同様なものであり、前記の考察は両方の形状に等しく当てはまる。
【００４５】
図４及び５において、感湿フィラメント７５が、補助吸収性コア８０及び８２に接着されているのが示されている。この発明の例証されていない別の態様において、多数の感湿フィラメントを用いることができ（前記のように）、このような多数の感湿フィラメントの各々は、多数の補助吸収性コア間で、あるいはこれらの補助吸収性コアの１つと主吸収性コア２８との間で接着されていてもよい。
【００４６】
本発明の他の実施形態は、前記のような平行移動操作部材７０を含んでいる。これには、図６に例証されている排泄物を入れるためのポケット９０；図７に例証されている排泄物のための空隙を生じるスペーサー１２０；図８、９、及び１０に例証されている排泄物の動きを制限するためのバリヤーを生じるカバー１３０；装着者の皮膚にローションを加えるためにローションでコートされた補助トップシート；及び図１１に例証されている排泄物管理要素１５０、又はこれらの組合わせが含まれる。
【００４７】
排泄物を入れるためのポケット９０は、１９９６年５月７日にＲｏｅらに発行された米国特許第５，５１４，１２１号に記載されている。図６に例証されているポケット９０は、大便物質を収集して受入れ、これによってこれが過度に広がり、装着者の皮膚にこすりつけられるのを防ぐ。ポケット９０は、第一ウエスト部の方に向かって長手方向に凸状配向されていてもよく、第二ウエスト部３８の方へ向かって長手方向に凸状配向されていてもよく、閉鎖図形であってもよく、あるいは単に真っ直ぐなバリヤーであってもよい。平行移動操作部材として、このポケットは、体の排泄物の収集及び受入れにおけるポケットの有効性を高めるために、支持部材に対して長手方向に平行移動装置７８を介して動かされ、物理的に大便物質をすくい取ることができる。
【００４８】
別の実施形態において、平行移動操作部材は、大便用の空間を生じるためのスペーサー１２０を備えている。図７に示されているスペーサー１２０は、装着者の体の体重がトップシート２４に加わっている間、空間をあけたままにしておく。スペーサー１２０は一般に、他の寸法よりも実質的に大きい長手方向の寸法を有する直線要素であり、一般に長手方向に配向されている。スペーサー１２０は、ゴム又はフォーム材料からできていてもよく、紅斑の発生を最小限にするために、独立気泡フォームよりも連続気泡フォームの方が好ましい。平行移動装置７８は、活性化されたら、排泄物を装着者の皮膚から隠し、及び／又は追加の大便排出物のための空間を生じる位置にスペーサー１２０を動かすことができる。
【００４９】
別の実施形態において、操作部材は、排泄物の動きを制限するためのバリヤーを生じるカバー１３０を含んでいてもよい。図８に示されているカバー１３０は、スペーサー１２０と共に用いることができ、空間を生じる。装着者が排便したら、カバー１３０は、平行移動装置７８を介して空間の上を滑るようにされ、大便物質を装着者の皮膚から隠す。図９及び１０に示されているように、カバー１３０は、分かれた別のシート又はトップシート２４の折り畳まれた部分を含んでいてもよい。
【００５０】
カバー１３０として用いることができ、操作中はカバー１３０と同様なものである操作部材についてのもう１つの実施形態は、ローションでコートされた補助トップシート２４である。ローションコートされたトップシート２４は、トップシート２４と装着者の皮膚との間の第一ターゲットゾーンから離れて配置されている。平行移動装置が活性化されたら、この製品と装着者の皮膚との間でローションコートされたトップシート２４を滑らせ、これによってローションを装着者の皮膚に移す。
【００５１】
別の実施形態において、操作部材は、排泄物管理要素１５０を備えていてもよい。前記のように、図１１に例証されている排泄物管理要素１５０は好ましくは、装着された時、装着者の肛門周囲部の近くのこの製品の股部に位置している。一般に重力の作用によって、この要素の中に収集された大便物質は、第一ウエスト部３６と第二ウエスト部３８との間の真中の股部３７に落ち着く傾向があり、このようにして排泄物管理要素１５０によって利用される有効面積（ｅｆｆｅｃｔｉｖｅ  ａｒｅａ）が最小限にされる。排泄物管理要素１５０を、長手方向に平行移動されうる操作部材７０にすることによって、要素１５０の有効面積は向上する。
【００５２】
前記の実施形態の各々について、平行移動装置７８の第一接着点７４は、操作部材７０に付着され、一方で第二接着点７６は、支持部材、例えばトップシート２４、バックシート２６，又は吸収性コア２８に付着される。各々の実施形態について、平行移動装置７８は、第一ターゲットゾーンと相互作用を行なう。このゾーンは、大便物質又は尿がトップシート２４との接触を開始する地点であってもよい。
【００５３】
本発明の特別な実施形態及び／又は個々の部材が例証され、記載されてはいるが、本発明の精神及び範囲から逸脱することなく、様々なその他の変更及び修正がなされうることは、当業者には明白であろう。さらには、このような実施形態及び部材のすべての組合わせが可能であり、その結果として本発明の好ましい実施形態を生じることは明らかであろう。従って添付の請求の範囲は、この発明の範囲内にあるこのような変更及び修正のすべてをカバーするものとする。
【００５４】
本発明のこれらの特徴及びその他の特徴、側面及び利点は、上記の説明、添付の請求の範囲、及び添付図面に関連させてよりよく理解されるであろう。
【図面の簡単な説明】
【図１】  図１は、本発明の吸収体の平面図であり、下部構造を見せるために切り取られた部分を有しており、この製品の体側表面が見る人の方に向けられている。
【図２】  図２は、本発明の吸収体の実施形態の平面図であり、ここにおいて操作部材は、補助吸収性コアを備えている。
【図３】  図３は、図２の吸収体の横断面図であり、補助吸収性コア及び平行移動装置を示している。
【図４】  図４は、本発明の吸収体の実施形態の平面図であり、ここにおいて操作部材は、平行移動装置を介して連結された２つの補助吸収性コアを備えている。
【図５】  図５は、図４の吸収体の横断面図であり、平行移動装置を介して連結された２つの補助吸収性コアを示している。
【図６】  図６は、本発明の吸収体の実施形態の平面図であり、ここにおいて操作部材は、排泄物を入れるためのポケットを備えている。
【図７】  図７は、本発明の吸収体の実施形態の平面図であり、ここにおいて操作部材は、排泄物用の空隙を生じるスペーサーを備えている。
【図８】  図８は、本発明の吸収体の実施形態の平面図であり、ここにおいて操作部材は、排泄物の動きを制限するためのバリヤーを生じるカバーを備えている。
【図９】  図９は、図８に示されている吸収体の実施形態の平面図であり、ここにおいてカバーはトップシートの一部である。
【図１０】  図１０は、図９に示されている実施形態の横断面図であり、トップシートの折り畳まれた部分としてのカバーを示している。
【図１１】  図１１は、本発明の吸収体の実施形態の平面図であり、ここにおいて操作部材は、排泄物管理要素を備えている。
【図１２】  図１２（ａ）は、本発明の平行移動装置の実施形態の図面であり、膨張性要素にループ状に付けられた連結要素を備えている。
図１２（ｂ）は、図１２（ａ）に示されている平行移動装置の横断面図である。
【図１】
0004485057.tif 000002
【図２】
0004485057.tif 000003
【図３】
0004485057.tif 000004
【図４】
0004485057.tif 000005
【図５】
0004485057.tif 000006
【図６】
0004485057.tif 000007
【図７】
0004485057.tif 000008
【図８】
0004485057.tif 000009
【図９】
0004485057.tif 000010
【図１０】
0004485057.tif 000011
【図１１】
0004485057.tif 000012
【図１２】
0004485057.tif 000013